(57)【特許請求の範囲】
【請求項１】
たて樋の中間部分に接続され、たて樋内を流下する雨水を、雨水取出口を有し合成樹脂で成形された雨水取出器本体の雨水取出口から外部に取り出す雨水取出器であって、たて樋が挿入される開口部が、たて樋の外周面に沿った形状で設けられた上面部と雨水取出器本体の全体を覆う側面部とが合成樹脂で一体に成形され、下端面部が開放され、雨水取出器本体の上部をカバー部材の上面部によって閉鎖したカバー部材が雨水取出器本体の全体を覆うように配設され、カバー部材に覆われた雨水取出口が下方に開口していることを特徴とする雨水取出器。
【発明の詳細な説明】
【技術分野】
【０００１】
本発明は、雨水取出器に関するものである。
【背景技術】
【０００２】
従来、建物の屋根から排水される雨水を雨水貯留槽に貯留することにより雨水を有効利用するものとして、たて樋から雨水を取り出して雨水貯留槽に導入する雨水取出器が使用されている（特許文献１〜３参照）。
【０００３】
図３は、従来の雨水取出器の外観を示した斜視図である。この雨水取出器１００は、家屋などの屋根を流れる雨水を、のき樋などを通じてたて樋２０から流下させて地上に流す雨水の通路において、たて樋２０の中間部に接続され、たて樋２０内を流下する雨水を雨水取出口３から外部に取り出すものである。
【０００４】
雨水取出器１００は、雨水取出器本体２と、雨水取出器本体２の上部を覆う蓋体１１０とを備えている。雨水取出器本体２は、合成樹脂で成形されたものであり、たて樋２０内を流下する雨水を外部に取り出す雨水取出口３を有し、その内部には、たて樋２０内を流下する雨水を雨水取出口３に導入する構造を備えている。蓋体１１０は、雨水取出器本体２の上部を覆い、たて樋２０が挿入される開口部１１１が設けられている。
【０００５】
雨水取出器１００をたて樋２０に接続する施工時には、たて樋２０内を流下する雨水をたて樋２０から取り出す位置を決め、当該位置においてたて樋２０を所定の幅だけ切断し、切断部分の空隙に雨水取出器１００を嵌め込むようにして接続する。まず、切断部分上側のたて樋２０の下端部を蓋体１１０の開口部１１１に挿入して、雨水取出器本体２と共に上方に移動させる。
【０００６】
次に、切断部分下側のたて樋２０の上端部近傍に接着剤を塗布しておき、雨水取出器本体２下部の接続面に、接着剤を塗布したたて樋２０の上端部近傍を嵌合させながら雨水取出器１を下方に落とし込み、当該接続面と、接着剤を塗布したたて樋２０の上端部近傍とを接合する。これにより、切断部分上側のたて樋２０と雨水取出器１００と切断部分下側のたて樋２０とが接続される。
【０００７】
そして、雨水取出器１００の雨水取出口３と、別途の場所に設置された雨水貯留槽をホースなどで繋ぎ、たて樋２０内を流下する雨水を雨水取出器１００から取り出して雨水貯留槽に導入する。
【特許文献１】特開２００７−１８２７００号公報
【特許文献２】特開２００６−２９９５０９号公報
【特許文献３】特開２００５−２８２２０６号公報
【発明の開示】
【発明が解決しようとする課題】
【０００８】
しかしながら、雨水取出器本体２は、たて樋２０から雨水を取り出す機能を付与するために、雨水取出口３を設けるなどその構造が複雑であるため、たとえばメタリック色の外観を有するものなどを射出成形すると、雨水取出器本体２の外表面にウェルドまたはフローマーク１２０が発生し、外観を損なってしまうという問題があった。
【０００９】
また、雨水取出器本体２の雨水取出口３には、ホースバンドなどによりホースを接続して別途の場所に設置された雨水貯留槽に雨水を導入するようにしているが、雨水取出口３とホースとの接続部分が外部に露出し、雨水取出器１００全体として良好な外観を得ることができないという問題があった。
【００１０】
本発明は、以上の通りの事情に鑑みてなされたものであり、雨水取出器本体のウェルドおよびフローマークや、雨水取出口とホースとの接続部分を外部から視認されないようにすることができ、外観が良好である雨水取出器を提供することを課題としている。
【課題を解決するための手段】
【００１１】
本発明の雨水取出器は、上記の課題を解決するために、たて樋の中間部分に接続され、たて樋内を流下する雨水を、雨水取出口を有し合成樹脂で成形された雨水取出器本体の雨水取出口から外部に取り出す雨水取出器であって、たて樋が挿入される開口部が、たて樋の外周面に沿った形状で設けられた上面部と雨水取出器本体の全体を覆う側面部とが合成樹脂で一体に成形され、下端面部が開放され、雨水取出器本体の上部をカバー部材の上面部によって閉鎖したカバー部材が雨水取出器本体の全体を覆うように配設され、カバー部材に覆われた雨水取出口が下方に開口していることを特徴とする。
【発明の効果】
【００１２】
上記の本発明によれば、複雑な構造である雨水取出器本体と比べて簡素な構造のカバー部材により雨水取出器本体の全体を覆うようにしており、カバー部材は、たて樋が挿入される開口部が、たて樋の外周面に沿った形状で設けられた上面部と雨水取出器本体の全体を覆う側面部とからなる下端面部開放の、雨水取出器本体の上部をカバー部材の上面部によって閉鎖した箱状の簡素な構造であるため、射出成形によりウェルドやフローマークが発生することがない。従って、その外表面にウェルドやフローマークがなく、しかも簡素な構造であることから雨水取出器の外観を良好なものとすることができる。
【００１３】
さらに、雨水取出器本体から下方に開口している雨水取出口とホースとの接続部分もカバー部材により覆われて外部から視認されることがなく、すっきりとした良好な外観とすることができる。
【発明を実施するための最良の形態】
【００１４】
以下、図面を参照しながら本発明を詳細に説明する。
【００１５】
図１は、本発明の一実施形態における雨水取出器の外観を示した斜視図、図２は、カバー部材内における雨水取出器本体の収納状態を示した斜視図である。
【００１６】
本実施形態の雨水取出器１は、雨水取出器本体２と、雨水取出器本体２の全体を覆うカバー部材１０を備えている。雨水取出器本体２は、硬質ポリ塩化ビニル樹脂、ＡＳＡ樹脂、アクリル系樹脂などの合成樹脂で成形したものであり、図３に示す従来の雨水取出器１００におけるものと同様の構造を備え、たて樋２０内を流下する雨水を外部に取り出す雨水取出口３が設けられている。雨水取出器本体２内には、雨水取出口３に雨水を導入する構造が設けられており、たとえば、たて樋２０内を流下する雨水を雨水取出口３に導入するための受水面や、雨水取出器１の下方のたて樋２０内に余剰の雨水を流下するための雨水流下路と、雨水取出口３に雨水を導入する流路とを仕切る部材など、従来より適用されている構造を内設することができる。また、ゴミを除去した雨水を雨水貯留槽に導入するために、雨水濾過材などを内設するようにしてもよい。
【００１７】
カバー部材１０は、たて樋２０が挿入される開口部１２が設けられた上面部１１と、雨水取出器本体２の全体を覆う側面部１３とが、硬質ポリ塩化ビニル樹脂、ＡＳＡ樹脂、アクリル系樹脂などの合成樹脂で一体に成形されたものであり、箱状のカバー部材１０の内部には雨水取出器本体２を収納する空間が設けられ、下端面部１４は外部に開放されている。
【００１８】
たて樋２０が挿入されるカバー部材１０の開口部１２は、たて樋２０の外周面に沿った形状とされており、雨水取出器１の上部はカバー部材１０の上面部１１によって閉鎖されている。そのため、外部からの塵埃、落ち葉などのゴミや虫の侵入を防止することができる。
【００１９】
また、雨水取出器本体２の外形に沿った箱状のカバー部材１０を、雨水取出器本体２の全体に覆い被せるようにしているため、図３に示す従来技術のように略平板状の蓋体１１０を使用した場合に比べて、カバー部材１０の雨水取出器本体２からの離脱や位置ずれをほぼ皆無とすることができるようになっている。
【００２０】
雨水取出器１をたて樋２０に接続する施工時には、たて樋２０内を流下する雨水をたて樋２０から取り出す位置を決め、当該位置においてたて樋２０を所定の幅だけ切断し、切断部分の空隙に雨水取出器１を嵌め込むようにして接続する。まず、切断部分上側のたて樋２０の下端部を、カバー部材１０の上面部１１の開口部１２に挿入して、雨水取出器本体２と共に上方に移動させる。
【００２１】
次に、切断部分下側のたて樋２０の上端部近傍に接着剤を塗布しておき、雨水取出器本体２下部の接続面に、接着剤を塗布したたて樋２０の上端部近傍を嵌合させながら雨水取出器１を下方に落とし込み、当該接続面と、接着剤を塗布したたて樋２０の上端部近傍とを接合する。これにより、図２に示すように、切断部分上側のたて樋２０と雨水取出器１と切断部分下側のたて樋２０とが接続される。
【００２２】
図２に示すように、雨水取出器本体２の雨水取出口３には、別途の場所に設置された雨水貯留槽に雨水を導入するためのホース３０が、ホースバンド３１を用いて接続される。このようにして使用状態とされた雨水取出器１により、たて樋２０から流下する雨水は、雨水取出器１の雨水取出口３からホース３０を通じて取り出され、雨水貯留槽に導入されて貯留され、所望の用途に利用される。
【００２３】
以上に説明した本実施形態の雨水取出器１によれば、複雑な構造である雨水取出器本体２と比べて簡素な構造のカバー部材１０により雨水取出器本体２の全体を覆うようにしており、カバー部材１０は、たて樋２０が挿入される開口部１２が設けられた上面部１１と雨水取出器本体２の全体を覆う側面部１３とからなる簡素な構造であるため、射出成形によりウェルドやフローマークが発生することがない。従って、その外表面にウェルドやフローマークがなく、しかも下端面開口の箱状の簡素な構造であることから雨水取出器１の外観を良好なものとすることができる。
【００２４】
さらに、雨水取出器本体２の雨水取出口３と、ホース３０との接続部分もカバー部材１０により覆われて外部から視認されることがなく、すっきりとした良好な外観とすることができる。
【００２５】
以上に、実施形態に基づき本発明を説明したが、本発明は上記の実施形態に何ら限定されるものではなく、その要旨を逸脱しない範囲内において各種の変更が可能である。
【図面の簡単な説明】
【００２６】
【図１】本発明の一実施形態における雨水取出器の外観を示した斜視図である。
【図２】カバー部材内における雨水取出器本体の収納状態を示した斜視図である。
【図３】従来の雨水取出器の外観を示した斜視図である。
【符号の説明】
【００２７】
１      雨水取出器
２      雨水取出器本体
３      雨水取出口
１０      カバー部材
１１      上面部
１２      開口部
１３      側面部
１４      下端面部
２０      たて樋
【図１】
0004811378.tif 000002
【図２】
0004811378.tif 000003
【図３】
0004811378.tif 000004